(57)【要約】【課題】ハウジング内の空間を有効に利用することが可能な無線ネットワーク受信機を提供する。【解決手段】無線ネットワーク受信機１００は、接続口を有するハウジングと、接続口に面した開口端１１５と、開口端１１５に設置することが可能なアンテナ露出部１１６とを有し、ハウジング中に配置されたアンテナモジュール１１０と、ハウジング中に配置された接続モジュール１２０と、を備える。接続モジュール１２０は、第１の端部１２３および第２の端部１２４を有する基板１２２と、基板１２２の第１の端部１２３に設けられたＵＳＢプラグ１２６と、基板１２２の第２の端部１２４に設けられた導通弾性体１２８と、を有する。【選択図】図１
0003146612.tif 000002
【実用新案登録請求の範囲】
【請求項１】
接続口を有するハウジングと、
前記接続口に面した開口端と、前記開口端に設置することが可能なアンテナ露出部とを有し、前記ハウジング中に配置されたアンテナモジュールと、
前記ハウジング中に配置された接続モジュールと、を備え、
前記接続モジュールは、
第１の端部および第２の端部を有する基板と、
前記基板の前記第１の端部に設けられたＵＳＢプラグと、
前記基板の前記第２の端部に設けられた導通弾性体と、を有し、
前記ＵＳＢプラグが前記接続口から伸ばされると、前記導通弾性体と前記アンテナ露出部とが接触し、前記アンテナモジュールと前記基板とが電気的に接続されることを特徴とする無線ネットワーク受信機。
【請求項２】
前記アンテナモジュールは、非導通支持体と、前記非導通支持体を覆うアンテナ本体とを含むことを特徴とする請求項１に記載の無線ネットワーク受信機。
【請求項３】
前記アンテナモジュールは、中空空間を有し、
前記ＵＳＢプラグが前記接続口から伸ばされないときに、前記基板の前記第２の端部および前記導通弾性体が前記中空空間中に位置することを特徴とする請求項２に記載の無線ネットワーク受信機。
【請求項４】
開口端と、前記開口端に設置することが可能なアンテナ露出部とを含むアンテナモジュールと、
接続モジュールと、を備え、
前記接続モジュールは、
第１の端部および第２の端部を有する基板と、
前記基板の前記第１の端部に設けられたＵＳＢプラグと、
前記基板の前記第２の端部に設けられ、前記ＵＳＢプラグがコンピュータに接続されるときに、前記アンテナ露出部と接触し、前記アンテナモジュールと前記基板とを電気的に接続させることが可能な導通弾性体と、を有することを特徴とする無線ネットワーク受信機。
【請求項５】
前記アンテナモジュールは、非導通支持体と、前記非導通支持体を覆うアンテナ本体と、を含むことを特徴とする請求項４に記載の無線ネットワーク受信機。
【請求項６】
前記アンテナモジュールは、中空空間を有し、
前記ＵＳＢプラグが前記コンピュータと接続されていないときに、前記基板の前記第２の端部および前記導通弾性体が前記中空空間中に位置することを特徴とする請求項５に記載の無線ネットワーク受信機。
【考案の詳細な説明】
【技術分野】
【０００１】
本考案は、携帯型電子機器に関し、特に無線ネットワーク受信機に関する。
【背景技術】
【０００２】
近年、パーソナルコンピュータの普及とインターネットの急速な発展に伴い、世界中で情報交換が可能となり、経済および科学技術の進歩に非常に役立っている。そして、無線ネットワークの進歩により、ユーザフレンドリーな通信環境の提供も可能となった。
【０００３】
ユニバーサルシリアルバス（Ｕｎｉｖｅｒｓａｌ  Ｓｅｒｉａｌ  Ｂｕｓ：ＵＳＢ）は、無線ネットワーク受信機で一般に使われる標準インターフェースである。このＵＳＢ接続インターフェースは、使用する際に伸ばしてコンピュータと接続し、コンピュータと接続する必要がなくなったときにハウジング内に収納することができるため、外力により損壊されることを防ぐことができる。
【０００４】
しかし、アンテナおよびＵＳＢ接続インターフェースのそれぞれは、無線ネットワーク受信機の占有空間が非常に大きかったため、占有空間を有効に低減させ、アンテナと基板との接触が不良となることを防ぐことができる無線ネットワーク受信機が求められていた。
【考案の開示】
【考案が解決しようとする課題】
【０００５】
そのため、本考案の目的は、ハウジング内の空間を有効に利用することが可能な無線ネットワーク受信機を提供することにある。
【課題を解決するための手段】
【０００６】
（１）  接続口を有するハウジングと、前記接続口に面した開口端と、前記開口端に設置することが可能なアンテナ露出部とを有し、前記ハウジング中に配置されたアンテナモジュールと、前記ハウジング中に配置された接続モジュールと、を備え、前記接続モジュールは、第１の端部および第２の端部を有する基板と、前記基板の前記第１の端部に設けられたＵＳＢプラグと、前記基板の前記第２の端部に設けられた導通弾性体と、を有し、前記ＵＳＢプラグが前記接続口から伸ばされると、前記導通弾性体と前記アンテナ露出部とが接触し、前記アンテナモジュールと前記基板とが電気的に接続されることを特徴とする無線ネットワーク受信機。
【０００７】
（２）  前記アンテナモジュールは、非導通支持体と、前記非導通支持体を覆うアンテナ本体とを含むことを特徴とする（１）に記載の無線ネットワーク受信機。
【０００８】
（３）  前記アンテナモジュールは、中空空間を有し、前記ＵＳＢプラグが前記接続口から伸ばされないときに、前記基板の前記第２の端部および前記導通弾性体が前記中空空間中に位置することを特徴とする（２）に記載の無線ネットワーク受信機。
【０００９】
（４）  開口端と、前記開口端に設置することが可能なアンテナ露出部とを含むアンテナモジュールと、接続モジュールと、を備え、前記接続モジュールは、第１の端部および第２の端部を有する基板と、前記基板の前記第１の端部に設けられたＵＳＢプラグと、前記基板の前記第２の端部に設けられ、前記ＵＳＢプラグがコンピュータに接続されるときに、前記アンテナ露出部と接触し、前記アンテナモジュールと前記基板とを電気的に接続させることが可能な導通弾性体と、を有することを特徴とする無線ネットワーク受信機。
【００１０】
（５）  前記アンテナモジュールは、非導通支持体と、前記非導通支持体を覆うアンテナ本体と、を含むことを特徴とする（４）に記載の無線ネットワーク受信機。
【００１１】
（６）  前記アンテナモジュールは、中空空間を有し、前記ＵＳＢプラグが前記コンピュータと接続されていないときに、前記基板の前記第２の端部および前記導通弾性体が前記中空空間中に位置することを特徴とする（５）に記載の無線ネットワーク受信機。
【考案の効果】
【００１２】
本考案の無線ネットワーク受信機は、ＵＳＢ接続装置を使用するとき、ハウジングの接続口をコンピュータと接続させ、導通弾性体を介してアンテナの露出部と接触させ、アンテナモジュールと基板上の回路基板とを電気的に接続する。また、アンテナモジュール中の非導通支持体は、アンテナ本体の形状を有効に支持し、組み立てるときの利便性を高めることができる。
【考案を実施するための最良の形態】
【００１３】
以下、本考案の実施形態を図面に基づいて説明する。なお、これにより本考案が限定されるものではない。
【００１４】
図１を参照する。図１は、本考案の一実施形態による無線ネットワーク受信機を示す分解斜視図である。無線ネットワーク受信機１００は、アンテナモジュール１１０および接続モジュール１２０を含む。アンテナモジュール１１０は、非導通支持体１１２と、非導通支持体１１２を覆うアンテナ本体１１４とを含む。接続モジュール１２０は、基板１２２、ＵＳＢプラグ１２６および導通弾性体１２８を含む。基板１２２は、互いに対向した第１の端部１２３および第２の端部１２４を有する。第１の端部１２３には、ＵＳＢプラグ１２６が設けられ、第２の端部１２４には、導通弾性体１２８が設けられている。また、基板１２２は、導通弾性体１２８と接続された回路基板を含む。
【００１５】
アンテナモジュール１１０は、中空空間および開口端１１５を有する。非導通支持体１１２には、第１の摺動構造１１８が設けられ、基板１２２には、第２の摺動構造１２５が設けられている。第１の摺動構造１１８はスライド溝であり、第２の摺動構造１２５はスライド突起である。接続モジュール１２０は、第１の摺動構造１１８および第２の摺動構造１２５を介し、アンテナモジュール１１０に対して摺動させることが可能であり、アンテナモジュール１１０の中空空間中で接続モジュール１２０の第２の端部１２４を移動させることが可能である。
【００１６】
アンテナ本体１１４は、開口端１１５に設置することが可能なアンテナ露出部１１６を有する。このアンテナ露出部１１６の面積は、導通弾性体１２８の面積よりも大きいことが好ましい。アンテナ本体１１４は、非導通支持体１１２の外表面を覆うことが可能であり、アンテナ露出部１１６は、アンテナ本体１１４から延伸され、開口端１１５の箇所で内側に折り曲げられてもよい。これにより、アンテナモジュール１１０の非導通支持体１１２がアンテナ本体１１４の形状を有効に支持し、組み立てるときにアンテナモジュール１１０の位置決めを行うことができる。
【００１７】
図２Ａおよび図２Ｂを参照する。図２Ａおよび図２Ｂは、本考案の一実施形態による無線ネットワーク受信機を示す斜視図である。アンテナモジュール１１０および接続モジュール１２０は、ハウジング１５０中に設置されているが、本考案の特徴が分かり易いように、図２Ａおよび図２Ｂでは、ハウジング１５０の上蓋が省略されている。
【００１８】
ハウジング１５０は接続口１５２を有する。アンテナモジュール１１０は、ハウジング１５０の接続口１５２から離れた端部に設けられ、アンテナモジュール１１０の開口端１１５は、ハウジング１５０の接続口１５２に面している。接続モジュール１２０は、バンプ１２９を含む。バンプ１２９は、基板１２２の側壁に配置され、ハウジング１５０は、スライド孔１５４を含む。
【００１９】
図２Ａを参照する。図２Ａに示すように、無線ネットワーク受信機１００のＵＳＢプラグ１２６は、コンピュータと接続しないとき、接続口１５２から伸ばされずにハウジング１５０内に収納されている。この際、アンテナモジュール１１０および接続モジュール１２０の占有空間を低減させるために、接続モジュール１２０の導通弾性体（図示せず）および基板１２２の一部をアンテナモジュール１１０の中空空間内に配置し、基板１２２の第２の端部（図示せず）をアンテナモジュール１１０の底部と接触させることが好ましい。
【００２０】
図２Ｂを参照する。図２Ｂに示すように、接続モジュール１２０の側壁に設けられたバンプ１２９をスライド孔１５４中で摺動させると、バンプ１２９に接続された接続モジュール１２０が移動し、アンテナモジュール１１０に対して接続モジュール１２０を摺動させることが可能である。そのため、接続モジュール１２０上のバンプ１２９を推して摺動させると、ハウジング１５０の接続口１５２からＵＳＢプラグ１２６が伸び、コンピュータと接続することが可能となる。また、ＵＳＢプラグ１２６が伸ばされ、接続モジュール１２０上の導通弾性体１２８がアンテナモジュール１１０上のアンテナ露出部１１６と接触すると、導通弾性体１２８を介してアンテナモジュール１１０と基板１２２中の回路基板とが電気的に接続される。上述したように接続口１５２からＵＳＢプラグ１２６を伸ばした際、導通弾性体１２８をアンテナ露出部１１６と有効に接触させることができるように、アンテナ露出部１１６の面積は、導通弾性体１２８の面積よりも大きいことが好ましい。
【００２１】
上述したことから分かるように、本考案は以下の長所を有する。本考案の無線ネットワーク受信機のＵＳＢ接続装置を使用するとき、ＵＳＢプラグをハウジングの接続口から伸ばしてコンピュータと接続し、導通弾性体を介してアンテナ露出部と接触させ、アンテナモジュールと基板上の回路基板とを電気的に接続させる。また、本考案の無線ネットワーク受信機は、アンテナモジュール中の非導通支持体により、アンテナ本体の形状を有効に支持し、組み立てるときの利便性を高めることができる。
【００２２】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００２３】
【図１】本考案の一実施形態による無線ネットワーク受信機を示す分解斜視図である。
【図２Ａ】本考案の一実施形態による無線ネットワーク受信機のＵＳＢプラグが収納されたときの状態を示す斜視図である。
【図２Ｂ】本考案の一実施形態による無線ネットワーク受信機のＵＳＢプラグが伸ばされたときの状態を示す斜視図である。
【符号の説明】
【００２４】
１００…無線ネットワーク受信機、  １１０…アンテナモジュール、  １１２…非導通支持体、  １１４…アンテナ本体、  １１５…開口端、  １１６…アンテナ露出部、  １１８…第１の摺動構造、  １２０…接続モジュール、  １２２…基板、  １２３…第１の端部、  １２４…第２の端部、  １２５…第２の摺動構造、  １２６…ＵＳＢプラグ、  １２８…導通弾性体、  １２９…バンプ、  １５０…ハウジング、  １５２…接続口、  １５４…スライド孔。
【図１】
0003146612.tif 000003
【図２Ａ】
0003146612.tif 000004
【図２Ｂ】
0003146612.tif 000005